(57)【要約】      （修正有）【課題】インフルエンザ等の細菌や花粉、アレルギー源やホコリ等の侵入を本格的に防止する、爽やかな送風装置を付けた鼻マスクを提供する。【解決手段】衛生通気基体１の外空気４の取入側に、除菌防臭フィルター２を設ける。次に該基体内部にポンプまたはファン付マイクロモーター３を設ける。さらには通過する衛生空気５を通す、通気フレキ管６を衛生通気基体１の内部前面に密封固着して設ける。この通気フレキ管６を延ばした先端に、鼻マスク７を密着して設ける。そしてまた衛生通気基体１を装着支持する、電池内蔵ヘッドベルトを設けた、ヘッドバーチューブ９を装着する。最後に電池内蔵ヘッドベルトから、ヘッドバーチューブ９の内部を通して、該基体の上部に設けた、電源スイッチ１０と、そしてポンプまたはファン付マイクロモーター３へ配線を施こす。【選択図】図１
0003155642.tif 000002
【実用新案登録請求の範囲】
【請求項１】
衛生通気基体（１）の外空気（４）の取入側に、除菌防臭フィルター（２）を設け、次に該基体内部にポンプまたはファン付マイクロモーター（３）を設け、さらには通過する衛生空気（５）を通す、通気フレキ管（６）を衛生通気基体（１）の内部前面に密封固着して設け、この通気フレキ管（６）を延ばした先端に、鼻マスク（７）を密着して設け、そしてまた衛生通気基体（１）を装着支持する電池内蔵ヘッドベルト（８）を設けた、ヘッドバーチューブ（９）を装着し、該チューブの頭部側先端に丸ゴムストッパー（１１）を設け、最後に電池内蔵ヘッドベルト（８）から、ヘッドバーチューブ（９）の内部を通して、電源スイッチ（１０）そしてポンプまたはファン付マイクロモーター（３）へ配線を施して成る、感染予防マスク。
【考案の詳細な説明】
【技術分野】
【０００１】  本考案は、最近話題になっている新型ウイルス類および花粉、またアレルギー源になるホコリやカビ類の侵入を防ぐ、鼻マスクの技術に関するものである。
【背景技術】
【０００２】  従来のマスクは鼻と口を全部包み込んで、フィルターを通して呼吸するものであった。またモーターを組込ん強制的にクリンな空気を送る、作業用ガスマスクがある。
【考案が解決しようとする課題】
【０００３】  現在、市販されているマスクは、密閉状態で鼻、口と塞がっているので、息苦しいし夏などは汗をかきながら、大変暑苦しい状態に苦慮する。さらに眠る時には、なおさら外してしまう状況である。また食事中はマスクを外していなくてはならない。つまり、ウイルスや花粉、ホコリ等を吸引してしまう場合が多い。また、ガスマスクのようなものを、一般市民が日常使用する事は出来ない無い。
これら課題を解決するために本考案はなされたのである。
【課題を解決するための手段】
【０００４】  本考案は出来る限りの簡単構成で、ローコストに形成したものであり、マスク本体は鼻にだけ装着し、しかもクリンな空気をマイクロファンで、鼻に供給するものである。
まず、クリンな空気を供給するケースである、衛生通気基体（１）に外空気（４）の取入側に、除菌防臭フィルター（２）を設ける。次に該基体内部に、ポンプまたはファン付マイクロモーター（３）を設ける。このモーターは非常に小型軽量であり、電源も極力小さくて済むまた供給のクリンな空気は、マイクロミニファンあるいはミニポンプを設けるだけで十分であり、音、振動はほとんど無いと云ってよい。また電源には太陽電池を併用して使用しても良い。さらには供給する、衛生空気（５）を通す、通気フレキ管（６）を衛生通気基体（１）の内部前面に密封固着して設ける。次にこのフレキシブルに曲げる事のできる通気フレキ管（６）を延ばしたその先端に、鼻マスク（７）を密着して設ける。この鼻マスクにも、着脱容易な小さな、除菌防臭フィルター（２）が設けてある。そしてまた衛生通気基体（１）を顔の側面に固定支持させる、電池内蔵ヘッドベルト（８）を設けた、ヘッドバーチューブ（９）を該基体に固定して設ける。さらに該チューブの頭部側の先端に、丸ゴムストッパーを設ける。またこの該ヘッドベルトには、太陽電池を設けても良い。最後に電池内蔵ヘッドベルト（８）から、ヘッドバーチューブ（９）の内部を通して該基体に設けた、電源スイッチ（１０）そしてポンプまたはファン付マイクロモーター（３）へ配線を施して設ける。
本考案は以上のような構成および特徴からなる、感染予防マスクである。
【考案の効果】
【０００５】  本マスクは、鼻マスクだから口は解放されているので、マスクを付けたままで食事や飲料等が取れるし、ウガイおよび歯を磨く事は勿論できる。また会話は普段の通りである。さらに人の多く集まるような所でも、いつものように鼻呼吸をしておれば、または口から吐出し呼吸のみしておれば、風邪等のウイルスはシャットアウトできる。
また、マスク内にはクリンな空気が供給されているので、暑い日でもマスク内部は爽やかであり、一日中付けていても気持ち良く使用できる。そして睡眠時でも快適なマスクであるから、そのまま付けていても違和感が無い。さらにすべてがコンパクトであり、優れたデザインにより、装着時の美的ファッション性を生み出す事もできる。
【考案を実施するための最良の形態】
【０００６】  本構成はインフルエンザの感染や花粉症等の予防マスクとして形成したものである。まず、除菌して防臭されたクリンな空気を供給するケースである、衛生通気基体（１）の外空気（４）の取入側に着脱交換できる、除菌防臭フィルター（２）を設ける。次に該基体内部に、ポンプまたはファン付マイクロモーター（３）を設ける。このモーターは非常に小型軽量であり、電源も１．５Ｖ充電電池でサイズも極力小さいもので済む。また、供給のクリンな空気は、ミニポンプまたはマイクロミニファンを設けるだけで十分であり、音、振動はほとんど無いと云ってよい。また電源には太陽電池を併用して使用するのがベストで良い。さらには、マスクに供給する、衛生空気（５）を送り通す、通気フレキ管（６）を衛生通気基体（１）の内部前面に密封固着して設ける。次にこのフレキシブルに曲げる事のできる、通気フレキ管（６）を延ばしたその先端に、鼻マスク（７）を密着して設ける。この鼻マスクにも、着脱容易な小さな、除菌防臭フィルター（２）が設けてある。そしてまた衛生通気基体（１）を顔の側面に固定支持させる、電池内蔵ヘッドベルト（８）を設けた、ヘッドバーチューブ（９）を該基体に固定して設ける。このヘッドバーチューブの先端には、丸ゴムストッパー（１１）が設けてあるので、使用者の頭部に良くグリップされて、該基体およびマスクがしっかりと固定できる。最後に電池内蔵ヘッドベルト（８）から、ヘッドバーチューブ（９）の内部を通して該基体に設けた、電源スイッチ（１０）そしてポンプまたはファン付マイクロモーター（３）へ配線を施して設ける。
本考案は以上のような構成であり、これを使用実施するときには、【０００７】  細い、ヘッドバーチューブ（９）を電池内蔵ヘッドベルト（８）と共に頭に掛けて、丸ゴムストッパー（１１）でもってグリップし、耳部分に衛生通気基体（１）を持って来て、それから鼻に延ばした通気フレキ管（６）の先端につけられている、鼻マスク（７）を、鼻にフィットさせる。この時に該フレキ管を適当に曲げて、マスクが鼻に確実にフィットするように位置決めをするとよい。そしてマスクを装着したら、該基体に付いている電源スイッチ（１０）を入れる。そうすると該モーターが作動して、ポンプが動き、またはファンが回転して、外空気（４）が除菌防臭フィルター（２）を通って、クリンになった衛生空気（５）を、鼻マスク（７）へ微風となって送風される。この状態であるから鼻呼吸が大変楽に出来、大衆等人の多い所や空気環境の悪い所でも、インフルエンザ菌や花粉ホコリ等を取り除いてくれる。そして暑い季節でも、このマスクをつけている方が涼しくて快適に過ごせるのは、朗報である。また使い終えたら、マスクは取り外しも簡単にて、その時にフィルター交換も簡単ワンタッチでおこなえる。
【図面の簡単な説明】
【０００８】
【図１】  本考案のＡ−Ａ断面斜視図である。
【図２】  本考案の装着実施図である。
【符号の説明】
【０００９】  １  衛生通気基体
２  除菌防臭フィルター
３  ポンプまたはファン付マイクロモーター
４  外空気
５  衛生空気
６  通気フレキ管
７  鼻マスク
８  電池内蔵ヘッドベルト
９  ヘッドバーチューブ
１０  電源スイッチ
１１  丸ゴムストッパー
【図１】
0003155642.tif 000003
【図２】
0003155642.tif 000004